(57)【要約】      （修正有）【課題】緊急告知放送、緊急警告放送等の緊急放送による警報及びその内容を、健常者や視覚障害者だけでなく、聴覚障害者に対しても報知できる受信端末装置を提供する。【解決手段】受信端末装置２は、通報信号を受信する受信部１６，１８と、テレビ受信装置に表示データ及び制御用の指令信号を出力可能な接続端子１０と、通報信号に対応した通報画像の表示データが記憶された記憶部３２を有する制御部３０とを備える。制御部３０は、受信部１６，１８にて通報信号が受信されると、それに対応する表示データを記憶部３２から読み出し、表示データと表示指令信号とを接続端子１０からテレビ受信装置に出力させる。【選択図】図１
2017028569.tif 000002
【特許請求の範囲】
【請求項１】
有線又は無線にて送信されてくる通報信号を受信する受信部と、
テレビ受信装置にケーブルを介して接続され、画像表示用の表示データ及び制御用の指令信号を出力可能な接続端子と、
前記受信部が受信した通報信号に対応した通報画像を前記テレビ受信装置に表示させるための表示データが記憶された記憶部と、
前記受信部にて前記通報信号が受信されると、該通報信号に対応した表示データを前記記憶部から読み出し、該表示データと、該表示データにて前記通報画像を表示させるための表示指令信号とを、前記接続端子から前記テレビ受信装置に出力させる制御部と、
を備えたことを特徴とする受信端末装置。
【請求項２】
前記通報信号は、搬送波をトーン信号からなる指令情報にて変調した変調信号にて構成されており、
前記受信部は、前記通報信号を受信すると、前記トーン信号を復調して、前記通報信号の送信元からの指令内容を特定し、
前記制御部は、前記受信部にて特定された指令内容に基づき、前記記憶部に記憶された複数の通報画像の中から、前記指令内容に対応した通報画像を選択して読み出す、
ことを特徴とする請求項１に記載の受信端末装置。
【請求項３】
前記制御部は、前記受信部にて特定された指令内容に、特定放送チャンネルの選局指令が含まれている場合には、該特定放送チャンネルを前記テレビ受信装置に選局させるための選局指令信号を、前記接続端子から前記テレビ受信装置に出力させる、
ことを特徴とする請求項１又は請求項２に記載の受信端末装置。
【請求項４】
前記制御部が前記接続端子から前記選局指令信号を出力させて前記テレビ受信装置に選局させる前記特定放送チャンネルを、外部操作により設定するための操作部、
を備えたことを特徴とする請求項３に記載の受信端末装置。
【請求項５】
前記制御部は、前記接続端子を介して前記テレビ受信装置に指令信号を出力する際、前記接続端子を介して前記テレビ受信装置の電源がオン状態であるか否かを判断し、該電源がオン状態でなければ、前記接続端子から前記テレビ受信装置に電源オン指令信号を出力して、前記テレビ受信装置の電源をオン状態に切り換える、
ことを特徴とする請求項１〜請求項４の何れか１項に記載の受信端末装置。
【請求項６】
前記制御部は、前記接続端子から前記テレビ受信装置に電源オン指令信号を出力して、前記テレビ受信装置の電源をオン状態に切り換えた後、予め設定された所定時間が経過すると、前記接続端子から前記テレビ受信装置に電源オフ指令信号を出力して、前記テレビ受信装置の電源をオフ状態に戻す、
ことを特徴とする請求項５に記載の受信端末装置。
【請求項７】
前記表示データの更新指令を受信する更新指令受信部を備え、
前記制御部は、前記更新指令受信部にて前記更新指令が受信されると、該更新指令に従い前記記憶部に記憶された表示データを更新する、
ことを特徴とする請求項１〜請求項６の何れか１項に記載の受信端末装置。
【発明の詳細な説明】
【技術分野】
【０００１】
本発明は、ＣＡＴＶシステムの伝送路や放送電波を利用して送信されてくる通報信号に基づき、所定の画像をテレビ受信装置に表示させるのに好適な受信端末装置に関する。
【背景技術】
【０００２】
従来、ＣＡＴＶシステムのセンタ装置やＦＭラジオのコミュニティ放送局を利用して音声による告知放送を行う、告知放送システムが知られている（例えば、特許文献１参照）。この種の告知放送システムでは、告知放送の開始時及び終了時に、受信端末起動用或いは停止用のＤＴＭＦ信号を送信することで、受信端末の電源を自動でオン・オフさせる。
【０００３】
また、こうした告知放送システムで放送される緊急告知放送と、電波法で規定された緊急警報放送（ＥＷＳ：Emergency Warning System）と、の両方を受信可能な、緊急放送受信用の受信装置も知られている（例えば、特許文献２参照）。
【０００４】
この受信装置では、緊急告知放送のＤＴＭＦ信号、及び、ＦＭ放送による緊急警報放送信号（ＥＷＳ信号）、の何れかがＦＭ受信回路にて受信されると、主電源をオン状態にして、オーディオ増幅回路等の内部回路を動作させ、スピーカから緊急放送を音声出力させる（例えば、特許文献２参照）。
【０００５】
従って、上記告知放送システムの受信端末や緊急放送用の受信装置の利用者は、これらの電源を手動でオン・オフさせることなく、緊急告知放送や緊急警報放送等の緊急放送を聴くことができる。
【先行技術文献】
【特許文献】
【０００６】
【特許文献１】特開２０１４−３３２４６号公報
【特許文献２】特開２００９−２３２２４７号公報
【発明の概要】
【発明が解決しようとする課題】
【０００７】
しかしながら、上記従来の緊急放送用の受信装置は、何れも、放送信号受信時に主電源をオン状態にして、緊急放送をスピーカから音声出力させるものであるため、音声を聞き取ることができない聴覚障害者に対し警報を発するのが難しく、特に、その内容（警戒レベル等）を報知することはできない、という問題があった。
【０００８】
本発明は、こうした問題に鑑みなされたものであり、緊急告知放送、緊急警告放送等の緊急放送による警報及びその内容を、健常者や視覚障害者だけでなく、聴覚障害者に対しても報知できるようにすることを目的とする。
【課題を解決するための手段】
【０００９】
かかる目的を達成するためになされた本発明の受信端末装置は、上述した告知放送や緊急警告放送等の緊急放送を実施するために有線又は無線にて送信されてくる通報信号を受信するためのものであり、受信部と、接続端子と、記憶部と、制御部とを備える。
【００１０】
受信部は、上記緊急放送の通報信号を受信するためのものであり、接続端子は、テレビ受信装置にケーブルを介して接続され、画像表示用の表示データ及び制御用の指令信号を出力可能な端子である。
【００１１】
そして、記憶部には、受信部が受信した通報信号に対応した通報画像をテレビ受信装置に表示させるための表示データが記憶されており、制御部は、受信部にて通報信号が受信されると、その通報信号に対応した表示データを記憶部から読み出す。
【００１２】
また、制御部は、記憶部から読み出した表示データと、その表示データにて通報画像を表示させるための表示指令信号とを、接続端子からテレビ受信装置に出力させる。
このため、本発明の受信端末装置によれば、緊急放送の通報信号に従い、テレビ受信装置に、その通報信号に対応した通報画像を表示させることができる。
【００１３】
よって、告知放送や緊急警告放送を行うシステムでは、放送信号の送信元（例えば、ＣＡＴＶシステムのセンタ装置、ＦＭラジオのコミュニティ放送局等）から有線若しくは無線にて緊急放送用の通報信号を送信するようにすれば、その通報信号に対応した通報画像をテレビ受信装置に強制的に表示させることができる。
【００１４】
従って、そのテレビ受信装置への表示によって、健常者だけでなく、聴覚障害者に対しても、警報を発することができる。なお、テレビ受信装置に通報画像を表示させる際に、テレビ受信装置に通報用の音声データを出力するか、或いは、受信端末装置に設けられたスピーカから通報用の音声若しくはブザー音を出力するようにすれば、視覚障害者に対しても、警報を発することができる。
【００１５】
また、本発明の受信端末装置により、テレビ受信装置に通報画像を表示させるには、そのための表示データを記憶部に記憶しておけばよく、テレビ放送信号を選局・復調する必要がないため、一般的な緊急放送受信用の受信装置に比べて、安価に実現できる。
【００１６】
ここで、接続端子は、ケーブルを介して、表示データと指令信号をテレビ受信装置に出力できればよいが、例えば、デジタルインターフェースの規格の１つであるＨＤＭＩ（High-Definition Multimedia Interface：登録商標）に準拠した接続端子を利用すれば、映像・音声信号に加えて、制御信号も伝送できるので、本発明を容易に実現できる。
【００１７】
一方、通報信号は、上述した従来装置と同様、搬送波をトーン信号（換言すればＤＴＭＦ信号）からなる指令情報にて変調した変調信号（ＦＭ放送信号等）にて構成すれば、指令情報を簡単に設定できるようになる。
【００１８】
具体的には、トーン信号は、０から９までの数字と、＊、＃、Ａ、Ｂ、Ｃ、Ｄの記号を表す計１６種類の音にて構成されているので、各音を単体で利用しても１６種類の指令情報を設定できる。また、これら各トーン信号を組み合わせることにより、更に多くの種類の指令情報を設定できる。
【００１９】
そして、このようにトーン信号を利用して、複数の指令情報を設定するようにした場合、受信部は、通報信号を受信すると、トーン信号を復調して、送信元からの指令内容を特定し、制御部は、受信部にて特定された指令内容に基づき、記憶部に記憶された複数の通報画像の中から、指令内容に対応した通報画像を選択して読み出すようにしてもよい。
【００２０】
このようにすれば、例えば、緊急時の通常画像として、「外に出ず建物の中に居てください」とか、「危険ですので避難場所に避難してください」、といった各種案内画像を、送信元からの指令により表示させることができる。
【００２１】
また、制御部は、受信部にて特定された指令内容に特定放送チャンネルの選局指令が含まれている場合には、その特定放送チャンネルをテレビ受信装置に選局させるための選局指令信号を、接続端子からテレビ受信装置に出力させるように構成してもよい。
【００２２】
このようにすれば、例えば、記憶部に記憶された通報画像をテレビ受信装置に表示させた後、緊急放送を行っている特定放送チャンネル（コミュニティチャンネル等）をテレビ受信装置に選局させて、より詳細な情報を表示させることができるようになる。
【００２３】
また、この場合、受信端末装置に対し、制御部がテレビ受信装置に選局させる特定放送チャンネルを外部操作によって設定するための操作部、を設けるようにすれば、緊急放送用の放送チャンネル（コミュニティチャンネル等）が異なるシステムであっても、共通の受信端末装置を利用できることになり、受信端末装置を量産して、コストダウンを図ることができる。
【００２４】
次に、制御部は、接続端子を介してテレビ受信装置に指令信号を出力する際、接続端子を介してテレビ受信装置の電源がオン状態であるか否かを判断し、電源がオン状態でなければ、接続端子からテレビ受信装置に電源オン指令信号を出力して、テレビ受信装置の電源をオン状態に切り換えるように構成してもよい。
【００２５】
このようにすれば、テレビ受信装置の電源がオフ状態になっていても、送信元からの通報信号の送信により、テレビ受信装置に所定の通報画像を表示させることができるようになる。
【００２６】
なお、この場合、制御部は、接続端子からテレビ受信装置に電源オン指令信号を出力して、テレビ受信装置の電源をオン状態に切り換えた後、予め設定された所定時間が経過すると、接続端子からテレビ受信装置に電源オフ指令信号を出力して、テレビ受信装置の電源をオフ状態に戻すようにするとよい。
【００２７】
また更に、本発明の受信端末装置には、送信元又は他の外部端末から伝送されてくる表示データの更新指令を受信する更新指令受信部を設け、制御部は、更新指令受信部にて更新指令が受信されると、その更新指令に従い記憶部に記憶された表示データを更新するようにしてもよい。
【図面の簡単な説明】
【００２８】
【図１】実施形態の受信端末装置の構成を表すブロック図である。
【図２】実施形態の受信端末装置を前面、背面、側面から見た状態を表す外観図である。
【図３】制御部の動作を表すフローチャートである。
【図４】変形例１の受信端末装置における表示モードの設定例を表す説明図である。
【図５】変形例２の受信端末装置における電源入力系の構成を表す説明図である。
【発明を実施するための形態】
【００２９】
以下に本発明の実施形態を図面と共に説明する。
図１に示す本実施形態の受信端末装置２は、ＣＡＴＶシステムの伝送路と加入者側のテレビ受信装置（ＴＶ）との間のテレビ放送信号の伝送経路上に設けられて、ＣＡＴＶシステムのセンタ装置から伝送されてくる緊急通報用の通報信号を受信するのに用いられるものである。
【００３０】
このため、受信端末装置２には、ＣＡＴＶシステムの伝送路（本実施形態では同軸ケーブル）に接続されて、テレビ放送信号等のＲＦ信号を入力するためのＦ型コネクタ４、及び、テレビ受信装置の放送信号入力端子（ＲＦ入力）に同軸ケーブルを介して接続するためのＦ型コネクタ６が備えられている。
【００３１】
また、受信端末装置２には、電源供給用の端子として、Ｆ型コネクタ７、及び、ＤＣ入力端子８が備えられており、ＨＤＭＩケーブルを介してテレビ受信装置に接続するためのＨＤＭＩコネクタ１０も備えられている。
【００３２】
なお、Ｆ型コネクタ７は、衛星受信アンテナのコンバータに電源電圧（直流電圧）を供給するためにテレビ受信装置に設けられたＢＳ／ＣＳ入力端子（Ｆ型コネクタ）等から、同軸ケーブルを介して電源電圧を入力するためのものである。
【００３３】
また、ＤＣ入力端子８は、商用電源から交流（ＡＣ）電力を取り込み所定電圧の直流（ＤＣ）電力に変換するＡＣアダプタ４０から、直流（ＤＣ）電力を取り込むためのものである。
【００３４】
そして、レギュレータ２０は、Ｆ型コネクタ７又はＤＣ入力端子８を介して入力される電源電圧から、内部回路駆動用の電源電圧（例えば、直流５Ｖの定電圧）を生成する。
また、ＨＤＭＩコネクタ１０は、ＨＤＭＩケーブルを介して、映像・音声のデジタルデータをテレビ受信装置に出力できるだけでなく、ＨＤＭＩ規格のＣＥＣ（Consumer Electronics Control）にて、テレビ受信装置制御用の制御信号（換言すれば指令信号）を出力可能であると共に、テレビ受信装置から動作状態等の各種情報を取得可能である。
【００３５】
次に、Ｆ型コネクタ４を介してＣＡＴＶシステムの伝送路から入力されるＲＦ信号は、分配器１２で２分配され、そのうちの一方は、Ｆ型コネクタ６（延いてはテレビ受信装置のＲＦ入力）に出力される。つまり、本実施形態の受信端末装置２においては、ＣＡＴＶシステムの伝送路を流れるＲＦ信号が、そのままテレビ受信装置へ出力される。
【００３６】
一方、分配器１２で２分配された他方のＲＦ信号は、ＦＭチューナ１６に入力される。ＦＭチューナ１６は、ＦＭ放送受信用であり、ＣＡＴＶシステムのセンタ装置側から伝送されてくるＦＭ放送周波数帯域の通報信号（ＦＭ変調信号）を選局してＦＭ復調することにより、トーン信号（換言すればＤＴＭＦ信号）からなる指令情報を復元する。
【００３７】
この指令情報は、加入者に対する緊急通報を実施する際に、センタ装置側から、加入者側のテレビ受信装置に表示させる通報画像を緊急度等に応じて指定したり、テレビ受信装置に受信させる緊急放送の放送チャンネル（以下、チャンネルをＣＨと記載する）を指定したりするのに用いられる。
【００３８】
そして、ＦＭチューナ１６にて選局・復調された指令情報は、指令情報を構成するトーン信号に基づきセンタ装置からの指令内容を特定する通報検出部１８に入力され、通報検出部１８にて特定された指令内容は、制御部３０に入力される。
【００３９】
制御部３０は、ＣＰＵ、ＲＯＭ、ＲＡＭを中心とする周知のマイクロコンピュータにて構成されており、本実施形態では、センタ装置側からの指令情報に応じてテレビ受信装置に表示させるための複数の通報画像（表示用メッセージ等）が記憶されたメモリ３２も備えられている。なお、メモリ３２は、記憶した通報画像を書き替え可能な不揮発性メモリにて構成されている。
【００４０】
そして、制御部３０は、通報検出部１８にてセンタ装置からの指令内容が特定されると、その指令内容に対応した通報画像をメモリ３２から読み出し、その画像の表示データをＨＤＭＩコネクタ１０を介してテレビ受信装置に出力することで、テレビ受信装置に通報画像を表示させる。
【００４１】
なお、制御部３０は、通報画像の表示データをＨＤＭＩコネクタ１０から出力させる際には、テレビ受信装置の表示画面をＨＤＭＩ入力（つまり通報画像）に切り換えるための表示指令信号も、ＨＤＭＩコネクタ１０から出力させる。
【００４２】
また、制御部３０は、テレビ受信装置に通報画像を表示させると、その後、緊急放送を実施しているコミュニティＣＨの選局指令信号をテレビ受信装置に出力することで、コミュニティＣＨを選局させる。
【００４３】
コミュニティＣＨは、緊急放送を行うＣＡＴＶシステム固有の放送チャンネルであり、予め設定されている。
つまり、受信端末装置２には、テレビ受信装置に受信させる緊急放送の放送ＣＨを、外部操作によって、ＣＡＴＶシステム固有のコミュニティＣＨに設定するためのＣＨ設定部２６が備えられている。
【００４４】
そして、制御部３０は、通報検出部１８から緊急放送の選局指令が入力されると、ＣＨ設定部２６にて設定された放送ＣＨを選局ＣＨとして、テレビ受信装置に選局指令信号を出力する。
【００４５】
また、受信端末装置２には、ＦＭチューナ１６が通報信号を選局する際の選局周波数を外部操作により設定するための周波数設定部２４も設けられている。
図２に示すように、周波数設定部２４とＣＨ設定部２６は、０〜９までの数値を入力するための複数のロータリスイッチにて構成されている。具体的には、周波数設定部２４は、ＦＭ放送の選局周波数を、例えば８０．０ＭＨｚというように、３桁の数値で指定するために３つロータリスイッチにて構成されており、ＣＨ設定部２６は、地上波テレビ放送の最大２桁の受信ＣＨを指定するために２つのロータリスイッチにて構成されている。
【００４６】
また、周波数設定部２４とＣＨ設定部２６は、受信端末装置２の筐体２ａを前面から見たときに右側に位置する、筐体２ａの側面に設けられており、上述したＦ型コネクタ４、６、７、ＤＣ入力端子８、及び、ＨＤＭＩコネクタ１０は、筐体２ａの背面に固定されている。
【００４７】
また、筐体２ａの背面には、受信端末装置２の動作テストを行うためのテストＳＷ（ＳＷはスイッチを表す）２８も設けられている。
そして、制御部３０は、テストＳＷ２８が操作されると、メモリ３２に記憶されたテスト用画像の表示データを、ＨＤＭＩコネクタ１０を介してテレビ受信装置に出力することで、テレビ受信装置にテスト用画像を表示させる。
【００４８】
この結果、使用者は、テストＳＷ２８を操作し、テレビ受信装置の表示画面を確認することで、受信端末装置２が正常動作しているか否かを判定できる。
また、筐体２ａの前面には、レギュレータ２０から電源供給を受けて、制御部３０等の内部回路が動作しているときに、制御部３０により点灯されるＬＥＤ２２が設けられている。このため、使用者は、ＬＥＤ２２の点灯状態から受信端末装置２の電源投入状態を確認できる。
【００４９】
また、図１に示すように、受信端末装置２には、ＦＭチューナ１６にてセンタ装置からの通報信号が受信されたことを報知するためのブザー３４、及び、インターネット等の外部ネットワークに接続されて、外部ネットワークに接続された他のネットワーク端末との間でデータを送受信するための無線ＬＡＮ通信部３６が設けられている。
【００５０】
そして、制御部３０は、ＦＭチューナ１６にてセンタ装置からの通報信号が受信され、通報検出部１８にて、センタ装置からの指令内容が特定されると、ブザー３４を鳴動させることで、その旨を使用者に通知する。
【００５１】
また、制御部３０は、無線ＬＡＮ通信部３６を介して他のネットワーク端末からメモリ３２内の通報画像の更新指令を受けると、メモリ３２内の通報画像の表示データを、他のネットワーク端末から送信されてきた新たな表示データに書き替え、通報画像を更新する。
【００５２】
次に、制御部３０は、レギュレータ２０から電源供給が開始されることにより起動し、図３に示す制御処理を繰り返し実行する。
図３に示すように、制御部３０は、起動後、まずＳ１１０（Ｓはステップを表す）にて、周波数設定部２４からＦＭチューナ１６の選局周波数を読み込み、ＦＭチューナ１６の選局周波数を設定する。
【００５３】
そして、続くＳ１２０では、通報検出部１８からの入力に基づき、ＦＭチューナ１６にて、センタ装置側から伝送されてきた通報信号が受信されたか否かを判断し、通報信号が受信されていなければ再度Ｓ１２０を実行することで、通報信号が受信されるのを待つ。
【００５４】
Ｓ１２０にて、通報信号が受信されたと判断されると、Ｓ１３０に移行して、通報検出部１８からの入力に基づき、センタ装置側からの指令内容を識別し、続くＳ１４０にて、その識別した指令内容は、メモリ３２に記憶されている通報画像の表示指令であるか否かを判断する。
【００５５】
そして、センタ装置からの指令が通報画像の表示指令であれば、Ｓ１５０に移行し、そうでなければ当該制御処理を一旦終了する。なお、Ｓ１４０にて、センタ装置からの指令が通報画像の表示指令であると判断された場合には、ブザー３４を鳴動させてその旨を周囲に通報する。
【００５６】
次に、Ｓ１５０では、ＨＤＭＩコネクタ１０を介して、テレビ受信装置の電源がオン状態であるか否かを確認し、テレビ受信装置の電源がオン状態であれば、Ｓ１７０に移行する。
【００５７】
また、Ｓ１５０にて、テレビ受信装置の電源はオン状態でない（換言すればオフ状態である）と判断されると、Ｓ１６０に移行して、ＨＤＭＩコネクタ１０からテレビ受信装置の電源をオン状態に切り換えるためのコマンド（電源オン指令信号）を出力させ、Ｓ１７０に移行する。
【００５８】
この結果、テレビ受信装置は、そのコマンドに従い自身の電源をオン状態に切り換え、ＨＤＭＩ入力による画面表示・音声出力が可能になる。なお、Ｓ１６０にて上記コマンドを出力して、テレビ受信装置の電源をオン状態に切り換えた際には、その旨を記憶するために、フラグＦをセットする。
【００５９】
次に、Ｓ１７０では、Ｓ１３０にて識別した指令内容（通報指令）に対応した通報画像の表示データをメモリ３２から読み出し、その表示データを、表示指令と共にＨＤＭＩコネクタ１０からテレビ受信装置へ出力する。
【００６０】
この結果、テレビ受信装置の表示画面には、センタ装置側から指定された所定の通報画像が表示されることになり、使用者は、その表示画面から、緊急時に発生している災害情報や使用者がとるべき行動、避難経路、といった各種情報を取得することができる。
【００６１】
次に、Ｓ１８０では、Ｓ１７０にてテレビ受信装置に通報画像を表示させた後、所定の表示時間が経過したか否かを判断することで、表示時間が経過するのを待ち、表示時間が経過すると、Ｓ１９０に移行する。
【００６２】
Ｓ１９０では、ＣＨ設定部２６から、テレビ受信装置に受信させるべき緊急放送の選局ＣＨ（コミュニティＣＨ）を読み出し、ＨＤＭＩコネクタ１０からテレビ受信装置へ、その選局ＣＨを含む選局指令信号を出力する。
【００６３】
この結果、この選局指令信号に従い選局ＣＨを変更可能なテレビ受信装置においては、コミュニティＣＨが選局されて、緊急放送の映像及び音声が復元され、表示画面及びスピーカから緊急放送の放送画像及び音声が出力されることになる。従って、使用者は、テレビ受信装置から出力される放送画像及び音声から各種情報を取得することができる。
【００６４】
また、この選局指令信号に従い選局ＣＨを変更できないテレビ受信装置においては、Ｓ１７０の通報画像表示指令に従い表示した通報画像が継続して表示されることになるので、その表示により、警報を発し続けることになる。
【００６５】
次に、Ｓ２００では、フラグＦがセットされているか否かを判断する。そして、フラグＦがセットされていれば、Ｓ１６０の処理にて、テレビ受信装置の電源がオン状態に切り換えられた後であるので、Ｓ２１０にて、その後、予め設定された設定時間（例えば１０分）が経過するのを待ち、設定時間が経過すると、Ｓ２２０に移行する。
【００６６】
Ｓ２２０では、ＨＤＭＩコネクタから電源オフ指令を出力することで、テレビ受信装置の電源を元のオフ状態に戻し、フラグＦをリセットした後、当該制御処理を一旦終了する。また、Ｓ２００にて、フラグＦはリセットされていると判断された場合には、そのまま当該制御処理を一旦終了する。
【００６７】
なお、Ｓ１４０、Ｓ２００又はＳ２２０の処理実行後、当該制御処理を一旦終了した後は、再度Ｓ１１０の処理に戻り、当該制御処理を再開する。
以上説明したように、本実施形態の受信端末装置２によれば、ＣＡＴＶシステムのセンタ装置側からＤＴＭＦ信号にてＦＭ変調してなる通報信号が送信されてくると、その通報信号からＤＴＭＦ信号を復調して、指令内容を特定する。
【００６８】
そして、その指令内容が、メモリ３２に記憶されている通報画像の表示指令であれば、その表示指令に対応した通報画像（表示データ）をメモリ３２から読み出し、その読み出した表示データを、表示指令信号と共に、ＨＤＭＩコネクタ１０からテレビ受信装置に出力させる。
【００６９】
このため、本実施形態の受信端末装置２によれば、ＣＡＴＶシステムにて緊急放送が行われているテレビ放送信号を選局して、緊急放送用の映像・音声データを復元するテレビチューナを設けることなく、テレビ受信装置に緊急放送用の通報画像を表示させることができる。
【００７０】
また、本実施形態の受信端末装置２によれば、テレビ受信装置に通報画像を表示させた後、所定の表示時間が経過すると、テレビ受信装置に、ＣＨ設定部２６を介して予め設定されている特定チャンネル（詳しくは、緊急放送を行っているコミュニティＣＨ）のテレビ放送を選局させる。
【００７１】
このため、本実施形態の受信端末装置２によれば、加入者側のテレビ受信装置に通報画像を表示させることができるだけでなく、受信端末装置２からの指令により選局チャンネルを変更可能なテレビ受信装置に対しては、緊急放送を行っているコミュニティＣＨのテレビ放送を表示させることができる。
【００７２】
また、本実施形態の受信端末装置２には、ブザー３４が備えられていて、制御部３０は、ＣＡＴＶシステムのセンタ装置から通報信号（詳しくは通報画像の表示指令）が送信されてくると、ブザー３４を鳴動させてその旨を周囲に通報する。
【００７３】
従って、本実施形態の受信端末装置２によれば、ＣＡＴＶシステムのセンタ装置から通報信号が送信されてきたときには、テレビ受信装置の表示画面の切り替え及びブザーの鳴動によって、健常者だけでなく、耳や目の不自由な人に対しても、警報を発することができる。
【００７４】
また、本実施形態の受信端末装置２には、本発明の操作部として、ＣＨ設定部２６が備えられており、制御部３０は、通報信号を受信して通報画像を表示させると、その後、ＣＨ設定部２６にて設定されている選局ＣＨのテレビ放送をテレビ受信装置に選局させる。
【００７５】
このため、ＣＡＴＶシステムのセンタ装置側では、コミュニティＣＨの緊急放送を選局させる際に、その選局ＣＨを表す情報を送信する必要がなく、通報信号を簡単にすることができる。具体的には、通報信号を、複数のＤＴＭＦ信号を組み合わせたシリアルデータにすることなく、一つのＤＴＭＦ信号で構成することが可能となる。
【００７６】
また、制御部３０は、ＣＡＴＶシステムのセンタ装置から通報信号が送信されてくると、ＨＤＭＩコネクタ１０を介して、テレビ受信装置の電源がオン状態であるか否かを確認し、電源がオン状態でなければ、ＨＤＭＩコネクタ１０から電源オン指令信号を出力して、テレビ受信装置の電源をオン状態に切り換える。
【００７７】
このため、本実施形態の受信端末装置２によれば、ＣＡＴＶシステムのセンタ装置側から通報信号が送信されてきたときにテレビ受信装置の電源がオフ状態になっていても、テレビ受信装置の表示画面に、強制的に、通報画像や緊急放送を表示させることができる。よって、緊急時の警報をより確実に行うことができる。
【００７８】
また、このようにテレビ受信装置の電源をオン状態に切り替えたときには、制御部３０は、その後所定時間が経過したときに、ＨＤＭＩコネクタ１０からテレビ受信装置に電源オン指令信号を出力させて、テレビ受信装置の電源をオフ状態に戻す。このため、テレビ受信装置の付近に人がいないときに、テレビ受信装置の電源がオン状態に保持されるのを防止できる。
【００７９】
また更に、本実施形態の受信端末装置２には、無線ＬＡＮ通信部３６が設けられているため、無線ＬＡＮを介して、インターネット等の広域ネットワークに接続したり、無線ＬＡＮやケーブルモデムを介してＣＡＴＶシステムのセンタ装置に接続したりすることができる。
【００８０】
そして、制御部３０は、無線ＬＡＮ通信部３６にて、広域ネットワーク上のサーバ若しくはセンタ装置側からの通報画像の更新指令が受信されると、その更新指令に従いメモリ３２に記憶された通報画像（表示データ）を更新することから、メモリ３２内の通報画像（表示データ）を容易に管理することができる。
【００８１】
また、制御プログラムをメモリ３２内に書き込むようにすれば、広域ネットワーク上のサーバ若しくはセンタ装置側からの更新指令によって、制御プログラム自体を更新させることもできる。
【００８２】
ここで、本実施形態においては、ＦＭチューナ１６及び通報検出部１８が、本発明の受信部に相当し、ＨＤＭＩコネクタ１０が、本発明の接続端子に相当し、メモリ３２が、本発明の記憶部に相当し、ＣＨ設定部２６が、本発明の操作部に相当し、無線ＬＡＮ通信部３６が、本発明の更新指令受信部に相当する。
【００８３】
以上、本発明の一実施形態について説明したが、本発明は上記実施形態に限定されるものではなく、本発明の要旨を逸脱しない範囲内にて種々の態様をとることができる。
例えば、上記実施形態では、Ｆ型コネクタ４は、ＣＡＴＶシステムの伝送路に接続され、受信端末装置２は、ＣＡＴＶシステムのセンタ装置側から伝送されてくるＦＭ放送信号から通報信号を復調するものとして説明したが、ＦＭコネクタ４をＦＭ受信アンテナに接続すれば、ＦＭチューナ１６にて、ＦＭラジオのコミュニティ放送局から無線送信されてくるＦＭ放送信号を受信することもできる。
【００８４】
したがって、上記受信端末装置２を利用すれば、コミュニティ放送局から無線送信されてくる通報信号に従い、テレビ受信装置に通報画像を表示させたり、テレビの緊急放送を選局させたりすることもできる。
【００８５】
また、上記実施形態の受信端末装置２には、ＦＭチューナ１６が設けられており、その選局周波数を、周波数設定部２４を介して手動操作で変更できることから、ＦＭチューナ１６にて復調された音声信号をスピーカから出力するようにすることで、防災ラジオやＦＭ放送受信用のラジオとして機能させることもできる。
【００８６】
また、上記実施形態の受信端末装置２には、通報信号の選局周波数や、テレビ受信装置に緊急放送を受信させるための選局ＣＨ（コミュニティＣＨ）を、手動で設定するための周波数設定部２４、ＣＨ設定部２６が設けられるものとして説明したが、これら各設定部２４、２６は、必ずしも設ける必要はなく、選局周波数や選局ＣＨは予め設定されていてもよい。
【００８７】
また、これら設定部２４、２６は、使用者が勝手に操作できないように、筐体内部に収納されていて、受信端末装置２の工場からの出荷時やサービスマンによるメンテナンス作業時に、選局周波数及び選局ＣＨを適宜変更できるようにしてもよい。
【００８８】
また更に、上記実施形態では、ＦＭチューナ１６にて選局・復調した通報信号の指令内容が、メモリ３２に記憶されている通報画像の表示指令である場合に、ＨＤＭＩコネクタ１０を介して接続されたテレビ受信装置に対し、その通報画像を表示させ、その後、緊急放送を行っているコミュニティＣＨを選局させるものとして説明した。
【００８９】
しかし、メモリ３２に記憶された複数の通報画像は、緊急度に応じて設定されているため、緊急度が低く、使用者にとっては、表示されると煩わしい通報画像も存在する。このため、受信端末装置２には、通報信号に応じて表示させる通報画像を手動で選択するための操作部を設けるようにしてもよい。
【００９０】
この場合、操作部は、例えば、周波数設定部２４やＣＨ設定部２６と同様のロータリスイッチにて構成し、図４に示すように、その操作位置Ａ、Ｂ、Ｃ…に応じて、表示しない画像（図４に「−」で示す）を設定できるようにすればよい。
【００９１】
このようにすれば、例えば、ＦＭチューナ１６にて復調された通報信号の指令内容が画像１を表示する指令である場合に、操作部にてモードＡ、Ｂが設定された受信端末装置２では、Ｓ１４０の判定処理にて否定判断されて、画像１が表示されず、モードＣが設定された受信端末装置２では、画像１が表示されるようにすることができる。
【００９２】
次に、上記実施形態では、外部からレギュレータ２０に直流電力を供給するための端子として、Ｆ型コネクタ７が設けられるものとして説明した。そして、このＦ型コネクタ７には、テレビ受信装置に設けられたＢＳ／ＣＳ入力端子（Ｆ型コネクタ）から、同軸ケーブルを介して電源電圧を入力することができる。
【００９３】
そこで、図５に示すように、受信端末装置２には、更に、衛星受信アンテナのコンバータに同軸ケーブルを介して接続するためのＦ型コネクタ９と、このＦ型コネクタ９に入力された衛星受信信号をＦ型コネクタ７から出力させる伝送路を設けるようにしてもよい。
【００９４】
この場合、その伝送路に、テレビ受信装置のＢＳ／ＣＳ入力端子から出力された電源電圧（電流）を衛星受信アンテナ側に通過させると共にレギュレータ２０側に出力させる電源分離回路１４を設けるようにすれば、上記実施形態と同様、Ｆ型コネクタ７に入力された電源電圧をレギュレータ２０に供給することができる。
【００９５】
また次に、上記実施形態では、目の不自由な人に対しては、ブザー３４を介して警報を発するようにしている。しかし、メモリ３２に通報画像と音声を記憶しておき、テレビ受信装置に通報画像の表示データを出力する際には、メモリ３２に記憶された音声データも出力するようにしてもよい。このようにすれば、テレビ受信装置から通報画像と音声を出力させることができる。
【００９６】
また、上記実施形態では、センタ装置から送信される通報信号には、搬送波をＤＴＭＦ信号にてＦＭ変調したものを使用するものとして説明したが、通報信号の元データや変調方式は、センタ装置からの指令を識別可能でＣＡＴＶシステムの伝送路を伝送できるものであれば、適宜変更できる。
【００９７】
また、上記実施形態では、受信端末装置２とテレビ受信装置との接続には、ＨＤＭＩケーブルが利用され、受信端末装置２にはＨＤＭＩコネクタ１０が備えられているものとして説明したが、これらは、少なくとも通報画像と指令信号とを受信端末装置２からテレビ受信装置に送信できればよい。このため、例えば、通報画像の表示データは接続ケーブルで伝送し、指令信号はリモートコントロール用の無線信号にて伝送するようにしてもよい。
【符号の説明】
【００９８】
２…受信端末装置、２ａ…筐体、４，６，７，９…Ｆ型コネクタ、８…ＤＣ入力端子、１０…ＨＤＭＩコネクタ、１２…分配器、１４…電源分離フィルタ、１６…ＦＭチューナ、１８…通報検出部、２０…レギュレータ、２２…ＬＥＤ、２４…周波数設定部、２６…ＣＨ設定部、２８…テストＳＷ、３０…制御部、３２…メモリ、３４…ブザー、３６…無線ＬＡＮ通信部、４０…ＡＣアダプタ。
【図１】
2017028569.tif 000003
【図２】
2017028569.tif 000004
【図３】
2017028569.tif 000005
【図４】
2017028569.tif 000006
【図５】
2017028569.tif 000007